(57)【要約】      （修正有）【課題】ずれ動くことなく確りと取り付けられ、表示部への印刷も可及的に大きく印刷できて見易くできるようにする。【解決手段】衣料等が装着されたときに外面に露出する衣料用ハンガー１に形成された取付け部分１０に装着されるサイズ等の表示具２であって、可撓性シート状部と、その両端寄り部分に、前記取付け部に止着される止着部１３とを備え、止着部を掛合させたときに外面となる部分の複数箇所にサイズ等の表示部を印刷するようにした。【選択図】図１
2004325737.tif 000002
【特許請求の範囲】
【請求項１】
衣料等が装着されたときに外面に露出する衣料用ハンガーに形成された取付け部分に装着されるサイズ等の表示具であって、可撓性シート状部と、その両端寄り部分に、前記取付け部に止着される止着部とを備え、止着部を掛合させたときに外面となる部分の複数箇所にサイズ等の表示部を印刷したことを特徴とする衣料用ハンガーに装着されるサイズ等の表示具。
【請求項２】
可撓性シート状部にＶ若しくはＵ形の溝を刻設して谷折れヒンジを形成し、当該谷折れヒンジで折り曲げることにより両端寄り部分の止着部同士が対面するように構成したことを特徴とする請求項１に記載の衣料用ハンガーに装着されるサイズ等の表示具。
【請求項３】
衣料等が装着されたときに外面に露出する衣料用ハンガーに取付け部を形成し、該取付け部にシート状部の表面部分にサイズ等の表示を施した表示具を折り曲げて両端寄り部に形成された止着部を嵌合させることにより前記衣料用ハンガーの取付け部に取り付けたことを特徴とするサイズ等の表示具付き衣料用ハンガー。
【発明の詳細な説明】
【０００１】
【産業上の利用分野】
本発明は、衣料用ハンガーに装着されるサイズ等の表示具及びサイズ等の表示具付き衣料用ハンガーに関する。
【０００２】
【従来の技術】
一般に、衣類を吊持するハンガーは、衣類を吊持した状態で小売店に搬入され、これをその儘、またはサイズ別に仕分けされて展示・販売されるようになっている。
そして、衣類のサイズを表示する場合、一般的には周囲の三箇所にサイズの数字や号数を印刷手段（例えば特許文献１参照）によりプリントした短寸で“Ｃ”型のサイズ表示用小片をハンガーのフック部分に嵌着するようにしている。
【０００３】
【特許文献１】特願平６−３０８４１８
【０００４】
【発明が解決しようとする課題】
ところが、サイズ表示用チップのＣ形部分をハンガーのフック部分に弾性変形させて直接嵌着するようにしたものでは、その弾性力で止まっているだけなので、このサイズ表示用チップが連れ動き易いだけでなく、ハンガーのフック部分から外れて取れてしまいやすいという問題があった。
しかも、小さなＣ形のサイズ表示用チップの周面に位相を異ならせて印刷しなくてはならず、装置全体が大型化するだけでなく、印刷時に印刷面の周囲に固定用のマージンが必要であることから、印刷される表示部分も小さく見難いものとなってしまうという問題もある。
本発明は上記問題点に鑑み提案されたもので、ずれ動くことなく確りと取り付けられ、表示部への印刷も可及的に大きく印刷できて見易くできるようにすることを目的とするものである。
【０００５】
【課題を解決するための手段】
上記目的を達成するために本発明にかかる衣料用ハンガーに装着されるサイズ等の表示具は、衣料等が装着されたときに外面に露出する衣料用ハンガーに形成された取付け部分に装着されるサイズ等の表示具であって、可撓性シート状部と、その両端寄り部分に、前記取付け部に止着される止着部とを備え、止着部を掛合させたときに外面となる部分の複数箇所にサイズ等の表示部を印刷したことを特徴とするものである。
【０００６】
また、本発明にかかる衣料用ハンガーに装着されるサイズ等の表示具では、可撓性シート状部にＶ若しくはＵ形の溝を刻設して谷折れヒンジを形成し、当該谷折れヒンジで折り曲げることにより両端寄り部分の止着部同士がずれなく正確に対面するように構成したことも特徴の一つである。
【０００７】
更に本発明にかかるサイズ等の表示具付き衣料用ハンガーは、衣料等が装着されたときに外面に露出する衣料用ハンガーに取付け部を形成し、該取付け部にシート状部の表面部分にサイズ等の表示を施した表示具を折り曲げて両端寄り部に形成された止着部を嵌合させることにより前記衣料用ハンガーの取付け部に取り付けたことを特徴とするものである。
【０００８】
【発明の実施の形態】
以下、本発明にかかるサイズ表示付きハンガーを図面に基づいて説明する。
図１は本発明に係るサイズ等の表示具付きハンガーの斜視図であって、図中符号１はサイズ等の表示具付きハンガーのサイズ等の表示具２を装着する部分を全体的に示す。
このサイズ等の表示具付きハンガー１は、合成樹脂製のハンガー本体３と、このハンガー本体３の中央部分に開口部４が側方（図上左方向）に向けられたフック５と、フック５の基端部に装着されたサイズ等の表示具２とを備えてなる。
【０００９】
上記合成樹脂製のハンガー本体３はポリエチレン、ポリプロプレンなどの比較的軟質な合成樹脂材料で断面がＩ形に形成されている。
上記フック５は、ハンガー本体３の中央上部を上方に突出させ、突出部７の上縁中央部分から延出されている。
そして、フック５と上記ハンガー本体３の突出部７との間の鋭角部分８には取付け孔９が形成された三角板状の取付け部１０を一体形成し、この取付け部１０に後述のサイズ等の表示具２が装着される。
【００１０】
サイズ等の表示具２は、図２及び図３に示すように、ハンガー本体３と同様のポリエチレンあるいはポリプロプレンなどの合成樹脂材料でシート状に形成され、左右部分に上記三角板状の取付け部１０に合致する三角形状部２ａ・２ｂと、中央部に取付け部１０の厚みＴに合わせた幅の矩形状部２ｃを備えている。
矩形状部２ｃと左右部分に形成された三角形状部２ａ・２ｂとの境界の裏面に９０度のＶ形の切り込み溝１１が形成されて此処に薄肉の折り曲げ部１２が形成されている。
【００１１】
また、左右部分に形成された三角形状部２ａ・２ｂの端寄り部には互いに嵌合する止着部１３が形成されるとともに、止着部１３を掛合させたときに外面となる三角形状部２ａ・２ｂ及び矩形状部２ｃの各部分のそれぞれにサイズ等を印刷した表示部１４が形成されている。
止着部１３は一側（三角形状部２ａ）に掛合孔１５を穿設し、他側（三角形状部２ｂ）に掛合孔１５に掛合する掛合片１６を突出して形成してあり、掛合片１６の先端部分は大径にして抜け止め用部分１６ａが形成してある（図４参照）。因みに図４に示すようにまたこの掛合孔１５は掛合片１６の進入側がテーパー面１５ａに形成され、嵌合し易く抜けにくくしてある。
【００１２】
上記表示部１４は、サイズ等の表示具２を展開した扁平（平面）状の時に三角形状部２ａ・２ｂ及び矩形状部２ｃの各面に印刷してある。
このようにサイズ等の表示具２を展開状にして印刷するときには、各面に連続して広い面積に印刷することができるので、簡単に且つ大きく印刷することができる。
【００１３】
上記のように形成されたサイズ等の表示具２をハンガー本体３の取付け部１０に装着する手順を次に説明する。
先ず、止着部１３の掛合片１６を、取付け部１０の取付け孔９に貫通させる。
次に、矩形状部２ｃと三角形状部２ａ・２ｂとの境界の裏面に形成されたＶ形の切り込み溝１１を順に谷折れさせてゆく。
すると止着部１３の掛合片１６の先端部分と掛合孔１５とが正確に対面する位置になるので、掛合孔１５に掛合片１６が貫通するように押し込み嵌合させると、サイズ等の表示具２のハンガー本体３への取付けが完了する。
【００１４】
斯くしてハンガー本体３に装着されたサイズ等の表示具２は、掛合片１６の先端部分の抜け止め用部分１６ａが掛合孔１５に抜け止め状に掛止されので、サイズ等の表示具２がずれ動いたり、ハンガー本体３から抜け外れたりすることがなくなる（図４参照）。
【００１５】
因みに、本例では矩形状部２ｃと三角形状部２ａ・２ｂとの境界の裏面にそれぞれＶ形の切り込み溝１１（計２本）を形成するようにしてあるがこうしたものに限られず、３本以上にすることができるその場合、Ｖ形の切り込み溝１１の角度は、その本数により変更することにより、止着部１３の掛合片１６の先端部分と掛合孔１５とが正確に対面するように位置させることができる。
更に、この切り込み溝１１はＶ形に限られず、Ｕ形にすることができるのは勿論である。
【００１６】
また、上記実施の形態ではハンガー本体３の取付け部１０を取付け孔９で形成し、止着部１３を掛合片１６と掛合孔１５とで形成するようにしてあるが、これに代えて図５に示すようにハンガー本体３の取付け部１０を突起１８・１８で形成するとともに、止着部１３をこの突起１８・１８に嵌合する掛合孔１９・１９で構成することもできる。
更に、図６及び図７に示すように、サイズ等の表示具２は前記と同様の合成樹脂材料でテープ状にし、これを撓ませてハンガー本体３の取付け部１０に装着するようにすることもできる。
【００１７】
【発明の効果】
本発明は以上に説明したように、衣料等が装着されたときに外面に露出する衣料用ハンガーに取付け部が形成され、この取付け部にシート状部の表面部分にサイズ等の表示を施した表示具を折り曲げて両端寄り部に形成された止着部を嵌合させて衣料用ハンガーの取付け部に取り付けるようにしてあるので、従来のサイズ表示用チップの弾性で保持するものに比べて確りと取り付けることができ、ずれ動いたり、外れたりするのが防止できる。
【００１８】
しかも、表示部への印刷もサイズ等の表示具を扁平な状態にして印刷することができるので、装着した時に異なる面に連続して印刷することができる。これにより、従来のように各表示面に固定用のマージンを必要とせず、サイズ等の表示部分を可及的に大きく印刷でき、見易いものにすることができる利点がある。
【００１９】
また、可撓性シート状部にＶ若しくはＵ形の溝を刻設して谷折れヒンジを形成し、当該谷折れヒンジで折り曲げることにより両端寄り部分の止着部同士が対面するように構成したものでは、上記効果に加えて、谷折れヒンジ部を谷折りするだけで、止着部同士を対面させることができ、簡単に嵌合させることができる。これにより、装着の操作も正確で簡単に行うことができるという利点がある。
【図面の簡単な説明】
【図１】は本発明のサイズ等の表示具付きハンガーの要部の斜視図である。
【図２】は本発明のサイズ等の表示具を展開した状態の表面側の斜視図である。
【図３】は本発明のサイズ等の表示具を展開した状態の裏面側の斜視図である。
【図４】は本発明のサイズ等の表示具をハンガーに装着した状態の横断平面図である。
【図５】は本発明のサイズ等の表示具の変形例を示すハンガーの要部の斜視図である。
【図６】は本発明のサイズ等の表示具の更に別の変形例を示すハンガーの要部の斜視図である。
【図７】は本発明のサイズ等の表示具の別の変形例の使用手順を示す斜視図である。
【符号の説明】
１・・・サイズ等の表示具付きハンガー
２・・・サイズ等の表示具
３・・・ハンガー本体
１０・・・取付け部
１１・・・溝
【図１】
2004325737.tif 000003
【図２】
2004325737.tif 000004
【図３】
2004325737.tif 000005
【図４】
2004325737.tif 000006
【図５】
2004325737.tif 000007
【図６】
2004325737.tif 000008
【図７】
2004325737.tif 000009